【手続補正書】
【提出日】平成16年5月11日(2004.5.11)
【手続補正１】
【補正対象書類名】明細書
【補正対象項目名】特許請求の範囲
【補正方法】変更
【補正の内容】
【特許請求の範囲】
【請求項１】
シアンとマゼンタとイエローのいずれかの色相をそれぞれ有する複数種類の有彩１次色インクと、ブラックインクと、を含む複数種類のインクを用いて印刷を行う印刷装置であって、
カラー画像データを前記複数種類のインクのインク量データに変換する色変換処理部を備え、
前記色変換処理部は、任意の階調レベルを有するグレー色領域を印刷する際に、標準光Ｄ５０および標準光Ａの下で観察すると仮定したときの前記グレー色領域のＬ*ａ*ｂ* 表色系での色差ΔＥの値がおよそ４以下になるように、前記複数種類の有彩１次色インクと前記ブラックインクとのうちの１種類以上のインクを用いて前記グレー色領域を再現するように色変換を実行する、印刷装置。
【請求項２】
請求項１記載の印刷装置であって、
前記色変換処理部は、前記複数種類の有彩１次色インクを用いて得られる第１種のグレー色と、前記ブラックインクと前記複数種類の有彩１次色インクとを用いて得られる第２種のグレー色と、のいずれかを選択して前記グレー色領域を再現するように色変換を実行する、印刷装置。
【請求項３】
請求項２記載の印刷装置であって、
前記複数種類の有彩１次色インクは、シアンとマゼンタに関して濃インクと淡インクとをそれぞれ含んでおり、
前記グレー色領域の明度階調レベルが約７０／２５５〜２５５／２５５の範囲のときには、前記シアンとマゼンタに関しては前記濃インクを用いずに前記淡インクを用いて前記グレー色領域が再現される、印刷装置。
【請求項４】
シアンとマゼンタとイエローのいずれかの色相をそれぞれ有する複数種類の有彩１次色インクと、ブラックインクと、を含む複数種類のインクを用いて印刷を行う印刷装置であって、
第１の表色系で表された第１のカラー画像データを、前記インクセットのための第２の表色系で表された第２のカラー画像データに変換するための色変換ルックアップテーブルと、
前記色変換ルックアップテーブルを用いて、前記第１のカラー画像データを前記第２のカラー画像データに変換する色変換部と、
を備え、
前記色変換ルックアップテーブルは、前記第１のカラー画像データが任意の階調レベルを有するグレー色領域を表すときに、標準光Ｄ５０および標準光Ａの下で観察すると仮定したときの前記グレー色領域のＬ*ａ*ｂ* 表色系での色差ΔＥの値がおよそ４以下になるように、前記複数種類の有彩１次色インクと前記ブラックインクとのうちの１種類以上のインクを用いて前記グレー色領域を再現するグレー再現特性を有する、印刷装置。
【請求項５】
請求項４記載の印刷装置であって、
前記色変換部は、前記複数種類の有彩１次色インクを用いて得られる第１種のグレー色と、前記ブラックインクと前記複数種類の有彩１次色インクとを用いて得られる第２種のグレー色と、のいずれかを選択して前記グレー色領域を再現する、印刷装置。
【請求項６】
請求項５記載の印刷装置であって、
前記複数種類の有彩１次色インクは、シアンとマゼンタに関して濃インクと淡インクとをそれぞれ含んでおり、
前記グレー色領域の明度階調レベルが約７０／２５５〜２５５／２５５の範囲のときには、前記シアンとマゼンタに関しては前記濃インクを用いずに前記淡インクを用いて前記グレー色領域が再現される、印刷装置。
【請求項７】
請求項４ないし６のいずれかに記載の印刷装置であって、
前記印刷装置が利用を想定している複数種類の印刷媒体のうちの少なくとも２種類以上の印刷媒体に適した前記グレー再現特性をそれぞれ有する色変換ルックアップテーブルをそれぞれ有しており、
前記色変換部は、印刷に実際に使用される印刷媒体の種類に応じて前記色変換ルックアップテーブルを選択する工程を含む、印刷装置。
【請求項８】
請求項４ないし６のいずれかに記載の印刷装置であって、
前記印刷装置は、複数種類の印刷媒体の利用を想定しているとともに、分光反射率特性の異なる複数種類のインクセットの利用を想定しており、
前記印刷装置は、前記複数種類の印刷媒体のうちの少なくとも２種類以上の印刷媒体と前記複数種類のインクセットとの組合せのそれぞれに関して、前記グレー再現特性をそれぞれ有する色変換ルックアップテーブルをそれぞれ有しており、
前記色変換部は、印刷に実際に使用される印刷媒体の種類とインクセットとの組合せに応じて前記色変換ルックアップテーブルを選択する、印刷装置。
【請求項９】
第１の表色系で表された第１のカラー画像データを、シアンとマゼンタとイエローのいずれかの色相をそれぞれ有する複数種類の有彩１次色インクと、ブラックインクとを含むインクセットのための第２の表色系で表された第２のカラー画像データに変換する色変換装置であって、
前記第１の表色系で表された第１のカラー画像データを、前記第２の表色系で表された第２のカラー画像データに変換するための色変換ルックアップテーブルと、
前記色変換ルックアップテーブルを用いて、前記第１のカラー画像データを前記第２のカラー画像データに変換する色変換部と、
を備え、
前記色変換ルックアップテーブルは、前記第１のカラー画像データが任意の階調レベルを有するグレー色領域を表すときに、標準光Ｄ５０および標準光Ａの下で観察すると仮定したときの前記グレー色領域のＬ*ａ*ｂ* 表色系での色差ΔＥの値がおよそ４以下になるように、前記複数種類の有彩１次色インクと前記ブラックインクとのうちの１種類以上のインクを用いて前記グレー色領域を再現するグレー再現特性を有する、色変換装置。
【請求項１０】
シアンとマゼンタとイエローのいずれかの色相をそれぞれ有する複数種類の有彩１次色インクと、ブラックインクと、を含む複数種類のインクを用いて印刷を行う印刷装置であって、
カラー画像データを前記複数種類のインクのインク量データに変換する色変換処理部を備え、
前記色変換処理部は、明度の階調レベルが約１５０／２５５以下の比較的暗いグレー色領域を印刷する際に、前記ブラックインクと前記複数種類の有彩１次色インクとの双方を用いて前記グレー色領域を再現するように色変換を行う、印刷装置。
【請求項１１】
シアンとマゼンタとイエローのいずれかの色相をそれぞれ有する複数種類の有彩１次色インクと、ブラックインクと、を含む複数種類のインクを用いて印刷を行う印刷装置であって、
第１の表色系で表された第１のカラー画像データを、前記インクセットのための第２の表色系で表された第２のカラー画像データに変換するための色変換ルックアップテーブルとして、色の光源依存性に比較的優れた第１の色変換ルックアップテーブルと、画像の粒状性に比較的優れた第２の色変換ルックアップテーブルとを含む複数の色変換ルックアップテーブルと、
前記複数の色変換ルックアップテーブルの中から選択された１つの色変換ルックアップテーブルを用いて、前記第１のカラー画像データを前記第２のカラー画像データに変換する色変換部と、
を備える印刷装置。
【請求項１２】
シアンとマゼンタとイエローのいずれかの色相をそれぞれ有する複数種類の有彩１次色インクと、ブラックインクとを含む複数種類のインクを用いて印刷を行う方法であって、
任意の階調レベルを有するグレー色領域を印刷する際に、標準光Ｄ５０および標準光Ａの下で観察すると仮定したときの前記グレー色領域のＬ*ａ*ｂ* 表色系での色差ΔＥの値がおよそ４以下になるように、前記複数種類の有彩１次色インクと前記ブラックインクとのうちの１種類以上のインクを用いて前記グレー色領域を再現することを特徴とする印刷方法。
【請求項１３】
シアンとマゼンタとイエローのいずれかの色相をそれぞれ有する複数種類の有彩１次色インクと、ブラックインクとを含むインクセットを用いて印刷を行う方法であって、
（ａ）第１の表色系で表された第１のカラー画像データを、前記インクセットのための第２の表色系で表された第２のカラー画像データに変換するための色変換ルックアップテーブルを用いて、前記第１のカラー画像データを前記第２のカラー画像データに変換する工程と、
（ｂ）前記第２のカラー画像データに基づいて、各画素におけるインクドットの形成状態を表す印刷データを生成する工程と、
（ｃ）前記印刷データに応じて印刷を実行する工程と、
を備え、
前記色変換ルックアップテーブルは、前記第１のカラー画像データが任意の階調レベルを有するグレー色領域を表すときに、標準光Ｄ５０および標準光Ａの下で観察すると仮定したときの前記グレー色領域のＬ*ａ*ｂ* 表色系での色差ΔＥの値がおよそ４以下になるように、前記複数種類の有彩１次色インクと前記ブラックインクとのうちの１種類以上のインクを用いて前記グレー色領域を再現するグレー再現特性を有する、印刷方法。
【請求項１４】
第１の表色系で表された第１のカラー画像データを、シアンとマゼンタとイエローのいずれかの色相をそれぞれ有する複数種類の有彩１次色インクと、ブラックインクとを含むインクセットのための第２の表色系で表された第２のカラー画像データに変換する方法であって、
色変換ルックアップテーブルを用いて、前記第１のカラー画像データを前記第２のカラー画像データに変換する工程を備え、
前記色変換ルックアップテーブルは、前記第１のカラー画像データが任意の階調レベルを有するグレー色領域を表すときに、標準光Ｄ５０および標準光Ａの下で観察すると仮定したときの前記グレー色領域のＬ*ａ*ｂ* 表色系での色差ΔＥの値がおよそ４以下になるように、前記複数種類の有彩１次色インクと前記ブラックインクとのうちの１種類以上のインクを用いて前記グレー色領域を再現するグレー再現特性を有する、色変換方法。
【請求項１５】
第１の表色系で表された第１のカラー画像データを、シアンとマゼンタとイエローのいずれかの色相をそれぞれ有する複数種類の有彩１次色インクと、ブラックインクとを含むインクセットのための第２の表色系で表された第２のカラー画像データに変換するための色変換ルックアップテーブルを作成する方法であって、
（ａ）複数のグレー階調レベルのそれぞれに関して、前記複数種類の有彩１次色インクを用いて印刷を行った第１種のグレーカラーパッチと、前記ブラックインクと前記複数種類の有彩１次色インクとを用いて印刷を行った第２種のグレーカラーパッチと、を含む複数のグレーカラーパッチを準備する工程と、
（ｂ）各グレー階調レベルを再現するために使用するグレーカラーパッチとして、標準光Ｄ５０および標準光Ａの下で観察すると仮定したときのＬ*ａ*ｂ* 表色系での色差ΔＥの値がおよそ４以下になるように、前記複数のグレーカラーパッチのうちの１つを選択する工程と、
（ｃ）各グレー階調レベルにおいて選択されたグレーカラーパッチを再現するように前記色変換ルックアップテーブルの入力と出力を決定する工程と、
を備える色変換ルックアップテーブルの作成方法。
【請求項１６】
シアンとマゼンタとイエローのいずれかの色相をそれぞれ有する複数種類の有彩１次色インクと、ブラックインクと含む複数種類のインクを用いて印刷媒体上への印刷を行う方法であって、
明度の階調レベルが約１５０／２５５以下の比較的暗いグレー色領域を印刷する際に、前記ブラックインクと前記複数種類の有彩１次色インクとの双方を用いて前記グレー色領域を再現することを特徴とする印刷方法。
【請求項１７】
シアンとマゼンタとイエローのいずれかの色相をそれぞれ有する複数種類の有彩１次色インクと、ブラックインクとを含むインクセットを用いて印刷を行う方法であって、
（ａ）色の光源依存性に比較的優れた第１の色変換ルックアップテーブルと、画像の粒状性に比較的優れた第２の色変換ルックアップテーブルとを含む複数の色変換ルックアップテーブルの中から選択された１つの色変換ルックアップテーブルを用いて、前記第１のカラー画像データを前記第２のカラー画像データに変換する工程と、
（ｂ）前記第２のカラー画像データに基づいて、各画素におけるインクドットの形成状態を表す印刷データを生成する工程と、
（ｃ）前記印刷データに応じて印刷を実行する工程と、
を備える印刷方法。